(57)【要約】【課題】外観が極めて美しい付け爪を提供する。【解決手段】付け爪のネイル本体（１００）の上面には第１面が形成され、該第１面と相接する第２面が少なくとも１個以上形成されており、第１面と第２面の間に連結線（１１１）が形成されるように第１面と第２面は互いに異なる角度で配置されている。第１面と第２面の両方はひし形形状の平坦面（１１０）から成り、該平坦面（１１０）はその各辺に別の平坦面（１１０）の辺が連結するようにネイル本体（１００）の上面全体に多数個設けられている。この付け爪によれば、ネイル本体（１００）の上面全体を多数個のひし形形状の平坦面（１１０）によってダイヤモンド等の宝石のように光り輝かせることができ、しかも連結線（１１１）によって宝石のような角張った線を多数形成して付け爪の外観を更に美しくすることができる。【選択図】図２
2008104842.tif 000002
【特許請求の範囲】
【請求項１】
ネイル本体を含めて構成され、該ネイル本体の上面には第１面と該第１面と相接する第２面が少なくとも１個以上形成されており、
第１面と第２面の間に連結線が形成されるように該第１面と該第２面は互いに異なる角度で配置されている、
ことを特徴とする付け爪。
【請求項２】
前記第１面と前記第２面のうち少なくとも一方は平坦面に形成されている、
ことを特徴とする請求項１に記載の付け爪。
【請求項３】
前記ネイル本体は射出成形され、前記第１面と前記第２面のうち少なくとも一方はひし形形状に形成されている、
ことを特徴とする請求項１または２に記載の付け爪。
【発明の詳細な説明】
【技術分野】
【０００１】
本発明は、付け爪に関する。
【背景技術】
【０００２】
従来の付け爪は韓国登録実用第２０−０３２７５１８号に開示されている。従来の付け爪の外観は、付け爪の上面が爪の形状のように一つの面が折り曲げられて形成されている。
【特許文献１】韓国登録実用第２０−０３２７５１８号
【発明の開示】
【発明が解決しようとする課題】
【０００３】
しかし、従来の付け爪は外観を美しくするのに限界があり、外観を更に美しくするためには追加的に装飾物やステッカー等を付着しなければならない。
【０００４】
本発明は前記事情に鑑みて創作されたもので、その目的とするところは、外観が極めて美しい付け爪を提供することにある。
【課題を解決するための手段】
【０００５】
前記目的を達成するため、本発明の付け爪は、ネイル本体を含めて構成され、該ネイル本体の上面には第１面が形成され、前記第１面と相接する第２面が少なくとも１個以上形成されており、前記第１面と前記第２面間に連結線が形成されるように該第１面と該第２面は互いに異なる角度で配置されている、ことをその特徴とする。
【０００６】
この付け爪によれば、ネイル本体の上面には第１面が形成され、前記第１面と相接する第２面が少なくとも１個以上形成されており、前記第１面と前記第２面間に連結線が形成されるように該第１面と該第２面は互いに異なる角度で配置されているので、前記面による光沢が引き立ちながらも宝石のように角張った線を有する極めて美しい外観を得ることができる。
【発明の効果】
【０００７】
本発明によれば、外観が極めて美しい付け爪を提供できる。
【０００８】
本発明の前記目的とそれ以外の目的と、構成特徴と、作用効果は、以下の説明と添付図面によって明らかとなる。
【発明を実施するための最良の形態】
【０００９】
以下、本発明の実施形態を添付図面を参照して詳細に説明する。尚、以下で説明する本発明の構成のうち従来技術と同一な構成は前述した従来技術を参考にしたものであるためのその説明を省略する。
【００１０】
図１は本発明の一実施形態を示す付け爪の斜視図であり、図２は本発明の他の実施形態を示す付け爪の斜視図であり、図３は図１および図２に示した付け爪を底面側から見た斜視図であり、図４は図１および図２に示した付け爪による付け爪セットの斜視図である。
【００１１】
図１に示す付け爪と図２に示す付け爪は、それぞれ、ネイル本体（１００）を含めて構成され、該ネイル本体（１００）の上面には第１面が形成され、該第１面と相接する第２面が少なくとも１個以上形成されており、第１面と第２面の間に連結線（１１１）が形成されるように第１面と第２面は互いに異なる角度で配置されている。
【００１２】
ネイル本体（１００）は全体的にネイル形状に形成されており、使用者の手の爪や足の爪の上に付着され装飾する部分である。図３に示すようにネイル本体（１００）の底面（１３０）は付け爪が設置される爪の表面形状に対応するように折り曲げて形成されている。このような折り曲げられた底面（１３０）は爪への付け爪の付着を容易にする。
【００１３】
図１に示す付け爪にあっては、第１面と第２面の一方が多角形状、具体的にはひし形形状の平坦面（１１０）から成り、他方が屈曲面（１２０）から成る。ひし形形状の平坦面（１１０）はその各辺に別の平坦面（１１０）の辺が連結するようにネイル本体（１００）の上面前方側に多数個設けられている。多数個の平坦面（１１０）はネイル本体（１００）上面の折れ曲がった形状に沿って全体的には上側に膨らむように配置されており、連結線（１１１）は隣接する平坦面（１１０）間それぞれと多数個の平坦面（１１０）と屈曲面（１２０）との間に形成されている。屈曲面（１２０）は付け爪を手の爪または足の爪に設置する際に自然に人体の皮膚に延長されるようにネイル本体（１００）の上面後方側に左右方向へ帯状に形成されていて、付け爪を設置しても自然な感じを演出することができるようになっている。また、ネイル本体（１１０）の底面は、図３に示すように爪への付け爪の設置が容易に行えるように付け爪が設置される爪の表面形状に対応して折り曲げて形成されている。
【００１４】
図１に示す付け爪によれば、ネイル本体（１００）の上面前方側を多数個のひし形形状の平坦面（１１０）によってダイヤモンド等の宝石のように光り輝かせることができ、しかも連結線（１１１）によって宝石のような角張った線を多数形成して付け爪の外観を更に美しくすることができる。また、平坦面（１１０）としてひし形形状を採用することにより美的効果を向上させることができる。これにより、光沢が引き立ちながらも宝石のように角張った線を有する極めて美しい外観を得ることができる。即ち、ダイヤモンド等の宝石のように光が各面で屈折し、宝石のように光り輝く効果を与えることができる。
【００１５】
図２に示す付け爪にあっては、第１面と第２面の両方が多角形状、具体的にはひし形形状の平坦面（１１０）から成る。ひし形形状の平坦面（１１０）はその各辺に別の平坦面（１１０）の辺が連結するようにネイル本体（１００）の上面全体に多数個設けられている。多数個の平坦面（１１０）はネイル本体（１００）上面の折れ曲がった形状に沿って全体的には上側に膨らむように配置されており、連結線（１１１）は隣接する平坦面（１１０）間それぞれに形成されている。また、ネイル本体（１１０）の底面は、図３に示すように爪への付け爪の設置が容易に行えるように付け爪が設置される爪の表面形状に対応して折り曲げて形成されている。
【００１６】
図２に示す付け爪によれば、ネイル本体（１００）の上面全体を多数個のひし形形状の平坦面（１１０）によってダイヤモンド等の宝石のように光り輝かせることができ、しかも連結線（１１１）によって宝石のような角張った線を多数形成して付け爪の外観を更に美しくすることができる。また、平坦面（１１０）としてひし形形状を採用することにより美的効果を向上させることができる。これにより、光沢が引き立ちながらも前記連結線（１１１）が生かされた極めて美しい外観を得ることができる。即ち、ダイヤモンド等の宝石のように光が各面で屈折し、宝石のように光り輝く効果を与えることができる。
【００１７】
図４に示す付け爪セットは、図１に示す付け爪と図２に示す付け爪のネイル本体（１００）をその前方側に突出して形成された切断部（２１０）を介して連結部（２２０）に連結して構成されたものである。切断部（２１０）とネイル本体（１００）の連結部位は厚さを薄くなっていて、使用者がネイル本体（１００）を使用する際にネイル本体（１００）上下に力を加えると切断部（２１０）とネイル本体（１００）が容易に切断されるようになっている。この付け爪セットは射出成形により製造されており、ネイル本体（１００）の金型はネイル本体（１００）の上面に角張ったダイアモンド形状の多数個の平坦面（１１０）のような形状を直接加工して成形する。因みに、付け爪セットは図４に示すように一つの連結部（２２０）に上面形状が異なるネイル本体（１００）が具備されるようにすることもできる。
【００１８】
図４に示す付け爪セットによれば、一つの連結部（２２０）に多数個の切断部（２１０）を有するネイル本体（１００）が連結されて一つのセットとなり、付け爪の移送が容易となり、使用者が付け爪を保管する際も容易となる。また、ネイル本体（１００）を切断部（２１０）および連結部（２２０）と同時に射出成形できるので、製作時間と費用が少なくて済み、製作工程が単純化すると共に、射出成形により大量生産が可能となり、原価節減が可能となる。
【００１９】
以上、本発明の実施形態について説明したが、当業者であれば特許請求の範囲に記載された本発明の思想および領域から外れない範囲内で本発明を多様に修正または変形し実施できることは言うまでもない。
【図面の簡単な説明】
【００２０】
【図１】本発明の一実施形態を示す付け爪の斜視図である。
【図２】本発明の他の実施形態を示す付け爪の斜視図である。
【図３】図１および図２に示した付け爪を底面側から見た斜視図である。
【図４】図１および図２に示した付け爪による付け爪セットの斜視図である。
【符号の説明】
【００２１】
１００…ネイル本体、１１０…平坦面、１１１…連結線、１２０…屈曲面、１３０…底面、２１０…切断部、２２０…連結部。
【図１】
2008104842.tif 000003
【図２】
2008104842.tif 000004
【図３】
2008104842.tif 000005
【図４】
2008104842.tif 000006